(57)【要約】【課題】ケーブル側コネクタが基板側コネクタに連結された状態を機械的に維持するための係止部材を、比較的簡単な構成を有した係止部材支持部により支持されたものとすることができるコネクタ装置を提供する。【解決手段】基板側コネクタ１１とケーブル側コネクタ１２とを備え、ケーブル側コネクタ１２に、ケーブル側コネクタ１２の導電性シェル２１に設けられた支持部２５Ｂに回転可能に係合する被支持部３６と基板側コネクタ１１の導電性シェル１５に設けられた被係合部１８に押圧当接する係合部３４とを有した係止部材２２が、回動可能に設けられ、ケーブル側コネクタ１２が基板側コネクタ１１に連結されたとき、係止部材２２が、係合部３４を被係合部１８に押圧当接させて被係合部１８を係止し、ケーブル側コネクタ１２に基板側コネクタ１１との連結状態を維持させる。【選択図】図８
2019083141.tif 000002
【特許請求の範囲】
【請求項１】
第１の絶縁ハウジング, 該第１の絶縁ハウジングに配列配置された複数の第１の導電コンタクト、及び、上記第１の絶縁ハウジングを部分的もしくは全体的に覆う第１の導電性シェルを備え、上記複数の第１の導電コンタクトが回路基板に電気的に接続される状態をもって上記回路基板に取り付けられる基板側コネクタと、
第２の絶縁ハウジング, 該第２の絶縁ハウジングに配列配置された複数の第２の導電コンタクト、及び、上記第２の絶縁ハウジングを部分的もしくは全体的に覆う第２の導電性シェルを備え、上記複数の第２の導電コンタクトに複数のケーブルが電気的に接続されたもとで、上記複数の第２の導電コンタクトを上記複数の第１の導電コンタクトに夫々接触させる状態をもって上記基板側コネクタに連結されるケーブル側コネクタと、
を含んで成り、
上記ケーブル側コネクタに、上記第２の絶縁ハウジングに対して回動可能に配され、上記第２の絶縁ハウジングから離隔した第１の状態と上記第２の絶縁ハウジングに近接して該第２の絶縁ハウジングを上記第２の導電性シェルを介して覆う第２の状態とを選択的にとる係止部材が設けられ、
該係止部材が、上記第２の導電性シェルに設けられた支持部に回転可能に係合する被支持部と上記第１の導電性シェルに設けられた被係合部に押圧当接する係合部とを有していて、
上記ケーブル側コネクタが上記基板側コネクタに連結されたもとで上記係止部材が上記被支持部を上記支持部に対して回転させて上記第２の状態をとるとき、該係止部材が、上記係合部を上記第１の導電性シェルにおける上記被係合部に押圧当接させて該被係合部に対する係止を行って、上記ケーブル側コネクタに上記基板側コネクタとの連結状態を維持させることを特徴とするコネクタ装置。
【請求項２】
上記第２の導電性シェルにおける上記支持部が突起部を成すものとされるとともに、上記係止部材における上記被支持部が、上記突起部に嵌合する透孔部を成すものとされることを特徴とする請求項１記載のコネクタ装置。
【請求項３】
上記第２の導電性シェルに、上記支持部に対向して配され、該支持部に上記被支持部が係合したもとで、上記係止部材における上記被支持部が設けられた部分を、上記第２の導電性シェルにおける上記支持部が設けられた部分とで挟むものとされた外壁部が設けられたことを特徴とする請求項１記載のコネクタ装置。
【請求項４】
上記係止部材における上記係合部が、上記第１の導電性シェルにおける上記被係合部に弾性接触する弾性係合片が設けられたものとされる請求項１記載のコネクタ装置。
【請求項５】
上記第１の導電性シェルにおける上記被係合部が、上記第１の絶縁ハウジングにおける上記ケーブル側コネクタが部分的に挿入される嵌合部の開口端とは反対側の端縁部側に配され、上記ケーブル側コネクタが上記基板側コネクタに連結されたもとで上記係止部材が上記第２の状態をとるとき、該係止部材が、上記第１及び第２の導電性シェルを部分的もしくは全面的に覆うとともに、上記係合部を上記第１の導電性シェルにおける上記被係合部に押圧当接させることを特徴とする請求項１記載のコネクタ装置。
【請求項６】
上記係止部材が、上記第２の絶縁ハウジングを上記第２の導電性シェルを介して覆う状態をとる平板状部と、該平板状部の第１，第２及び第３の端縁部分から夫々屈曲して伸びる第１，第２及び第３の側縁部とを有し、上記第１及び第２の側縁部が相互対向する位置に配されて夫々に上記被支持部が設けられるとともに、上記第３の側縁部が上記係合部を成すものとされ、上記第２の導電性シェルに、上記係止部材における上記第１及び第２の側縁部に夫々設けられた一対の上記被支持部が夫々係合する一対の上記支持部が設けられたことを特徴とする請求項１記載のコネクタ装置。
【発明の詳細な説明】
【技術分野】
【０００１】
本願の特許請求の範囲に記載された発明は、回路基板に取り付けられる基板側コネクタと、複数のケーブルが電気的に接続されたもとで基板側コネクタに連結されるケーブル側コネクタと、を含んで構成されるコネクタ装置に関する。
【背景技術】
【０００２】
複数の比較的細いケーブルを、各種の電気回路部品が装着される回路基板に接続するにあたっては、回路基板に電気的接続がなされて取り付けられる基板側コネクタと、複数のケーブルが電気的に接続されたもとで基板側コネクタに連結されるケーブル側コネクタとが用いられることが多い。その際には、ケーブル側コネクタには、複数のケーブルとの電気的接続がなされる複数のケーブル側導電コンタクトが配された差込部が設けられる。また、基板側コネクタには、ケーブル側コネクタに設けられた差込部が挿入される嵌合部が設けられ、さらに、回路基板との電気的接続がなされたもとで、嵌合部内においてケーブル側コネクタの差込部における複数のケーブル側導電コンタクトに夫々押圧接触する、複数の基板側導電コンタクトが配される。
【０００３】
基板側コネクタは、嵌合部が形成されるとともに複数の基板側導電コンタクトが配列配置された絶縁ハウジングと、外部からの電磁波ノイズ対策のため、即ち、外部からの電磁波ノイズに対するシールド効果を得るため、絶縁ハウジングを部分的もしくは全体的に覆ってグラウンド接続される、金属製の導電性シェルとを備えて構成される。また、ケーブル側コネクタは、差込部が形成されるとともに複数のケーブル側導電コンタクトが配列配置された絶縁ハウジングと、外部からの電磁波ノイズ対策のため、即ち、外部からの電磁波ノイズに対するシールド効果を得るため、絶縁ハウジングを部分的もしくは全体的に覆ってグラウンド接続される、金属製の導電性シェルとを備えて構成され、絶縁ハウジングに形成された差込部においては、複数のケーブル側導電コンタクトの夫々の一部分が露出せしめられたものとされる。そして、ケーブル側コネクタは、複数のケーブル側導電コンタクトに複数のケーブルが夫々電気的に接続されたもとで、差込部が基板側コネクタの嵌合部に挿入されて、基板側コネクタに連結される。その際、差込部において露出せしめられた複数のケーブル側導電コンタクトに基板側コネクタの複数の基板側導電コンタクトが夫々押圧接触するものとされ、それにより、ケーブル側コネクタに接続された複数のケーブルと基板側コネクタが取り付けられた回路基板との電気的接続がなされる。
【０００４】
このようにして、ケーブル側コネクタが基板側コネクタに連結されたときには、複数のケーブルが接続されたケーブル側コネクタについての基板側コネクタとの連結状態が安定に維持されることが望まれる。そのため、従来にあっては、ケーブル側コネクタに、当該ケーブル側コネクタが基板側コネクタに連結された状態を機械的に維持するための係止部材を設けることが提案されている（例えば、特許文献１参照。）。
【０００５】
特許文献１に示される従来提案されているコネクタ装置は、基板側コネクタ（相手側コネクタ(200))に連結されるケーブル側コネクタ（コネクタ(100))に、ケーブル側コネクタが基板側コネクタに連結された状態を機械的に維持するための係止部材を成す操作レバー(160) が設けられたものとされている。操作レバーは、一本の断面形状が円形の棒材が折り曲げられて形成されており、その両端部が、ケーブル側コネクタにおける複数のケーブル側導電コンタクト（コンタクト(110))が配列配置された絶縁ハウジング（保持部材(120))を部分的に覆う導電性シェル（シェル(130))によって回転可能に支持されていて、その全体が導電性シェルに対して回動可能とされている。
【０００６】
ケーブル側コネクタに設けられた操作レバーには、ケーブル側コネクタの導電性シェルによって支持された両端部に夫々比較的近い２箇所に、一対の係合係止部（係止部(170))が設けられている。これらの一対の係合係止部の夫々は、ケーブル側コネクタが基板側コネクタに連結されたとき、基板側コネクタにおける複数の基板側導電コンタクト（相手側コンタクト(210))が配列配置された絶縁ハウジング（相手側保持部材(220))を部分的に覆う導電性シェル（相手側シェル(230))に設けられた被係止部(202) に、直接的に係合して被係止部に対する係止を行うものとされている。
【０００７】
そして、複数のケーブル(10)の接続がなされたケーブル側コネクタが基板側コネクタに連結されたもとで、操作レバーが、ケーブル側コネクタの導電性シェルに対して回動せしめられ、それにより、一対の係合係止部の夫々に基板側コネクタの導電性シェルに設けられた被係止部に係合する状態をとらせるとき、操作レバーが成す係止部材によって導電性シェルに設けられた被係止部に対する係止が行われ、その結果、ケーブル側コネクタが基板側コネクタに連結された状態が機械的に維持されることになる。
【０００８】
このような特許文献１に示される従来提案されているコネクタ装置にあっては、ケーブル側コネクタの導電性シェルが、第１シェル(140) と第２シェル(150) とから成り、それにおける複数のケーブル側導電コンタクトの配列方向の両端部に、各々が操作レバーの端部を回転可能に支持する一対の操作レバー支持部（保持部(104))が夫々設けられている。斯かる一対の操作レバー支持部の夫々は、第１シェルの一部が成す底部(142) とその底部に配された受容部(122) と底部に配された受容部を覆うものとされた第２シェルの一部が成す蓋部(152) とが組み合わされて形成され、操作レバーの端部を受容部と蓋部とで挟持して回転可能に支持するものとされている。
【先行技術文献】
【特許文献】
【０００９】
【特許文献１】特開２０１３−２０６５８４号公報
【発明の概要】
【発明が解決しようとする課題】
【００１０】
前述のような、ケーブル側コネクタに当該ケーブル側コネクタが基板側コネクタに連結された状態を機械的に維持するための係止部材が設けられたコネクタ装置として従来提案されているものにあっては、係止部材を成す操作レバーがケーブル側コネクタの導電性シェルによって回動可能に支持されるものとされ、そのため、ケーブル側コネクタの導電性シェルには、操作レバーの両端部を夫々回転可能に支持する一対の操作レバー支持部が設けられる。斯かる一対の操作レバー支持部の夫々は、ケーブル側コネクタが基板側コネクタに連結された状態を機械的に維持するための係止部材を支持する係止部材支持部を成すものとして、極めて複雑な構成を有するものとされている。具体的には、ケーブル側コネクタの導電性シェルが、第１シェルと第２シェルとから成るもとにあって、一対の操作レバー支持部の夫々は、第１シェルの一部が成す底部とその底部に配された受容部と底部に配された受容部を覆うものとされた第２シェルの一部が成す蓋部とが組み合わされて形成されており、操作レバーの端部が、受容部と蓋部とによって挟持されて回転可能に支持されるものとされる。
【００１１】
このような複数の部材が組み合わされて形成される複雑な構成を有した操作レバー支持部が成す係止部材支持部が備えられるコネクタ装置にあっては、係止部材を成す操作レバーに設けられた一対の係合係止部の夫々が、基板側コネクタの導電性シェルに設けられた被係止部に対する係止を適正かつ堅固に行って、ケーブル側コネクタが基板側コネクタに連結された状態が安定に維持される状態を得るべく、それを構成する底部，受容部，蓋部等の夫々の寸法精度及びそれらの組立て精度を比較的高いものとしなければならないことになる。そして、このことが、コネクタ装置についての構成部品点数や製造工数の増加，コストの増大をまねく虞がある。
【００１２】
斯かる点に鑑み、本願の特許請求の範囲に記載された発明は、回路基板に電気的に接続されて取り付けられる基板側コネクタと複数のケーブルが電気的に接続されたもとで基板側コネクタに連結されるケーブル側コネクタとを含んで構成され、ケーブル側コネクタが基板側コネクタに連結された状態を機械的に維持するための係止部材を、比較的簡単な構成を有した係止部材支持部により支持されたものとすることができ、かつ、係止部材によるケーブル側コネクタが基板側コネクタに連結された状態の維持を安定に行うことができるコネクタ装置を提供する。
【課題を解決するための手段】
【００１３】
本願の特許請求の範囲における請求項１から請求項６までのいずれかに記載された発明（以下、本願発明という。）に係るコネクタ装置は、第１の絶縁ハウジング, 第１の絶縁ハウジングに配列配置された複数の第１の導電コンタクト、及び、第１の絶縁ハウジングを部分的もしくは全体的に覆う第１の導電性シェルを備え、複数の第１の導電コンタクトが回路基板に電気的に接続される状態をもって当該回路基板に取り付けられる基板側コネクタと、第２の絶縁ハウジング, 第２の絶縁ハウジングに配列配置された複数の第２の導電コンタクト、及び、第２の絶縁ハウジングを部分的もしくは全体的に覆う第２の導電性シェルを備え、複数の第２の導電コンタクトに複数のケーブルが電気的に接続されたもとで、複数の第２の導電コンタクトを複数の第１の導電コンタクトに夫々接触させる状態をもって基板側コネクタに連結されるケーブル側コネクタとを含んで構成され、ケーブル側コネクタに、第２の絶縁ハウジングに対して回動可能に配され、第２の絶縁ハウジングから離隔した第１の状態と第２の絶縁ハウジングに近接して当該第２の絶縁ハウジングを第２の導電性シェルを介して覆う第２の状態とを選択的にとる係止部材が設けられ、係止部材が、第２の導電性シェルに設けられた支持部に回転可能に係合する被支持部と第１の導電性シェルに設けられた被係合部に押圧当接する係合部とを有していて、ケーブル側コネクタが基板側コネクタに連結されたもとで係止部材が被支持部を支持部に対して回転させて第２の状態をとるとき、係止部材が、係合部を第１の導電性シェルにおける被係合部に押圧当接させて当該被係合部に対する係止を行って、ケーブル側コネクタに基板側コネクタとの連結状態を維持させることを特徴とするものとされる。
【００１４】
特に、本願発明に係るコネクタ装置のうちの、請求項２に記載されたものにあっては、第２の導電性シェルにおける支持部が突起部を成すものとされるとともに、係止部材における被支持部が、支持部が成す突起部に嵌合する透孔部を成すものとされることを特徴とするものとされる。
【００１５】
上述のように構成される本願発明に係るコネクタ装置にあっては、ケーブル側コネクタに、第２の絶縁ハウジングに対して回動可能に配されて、第２の絶縁ハウジングから離隔した第１の状態と第２の絶縁ハウジングに近接して当該第２の絶縁ハウジングを第２の導電性シェルを介して覆う第２の状態とを選択的にとる係止部材が、それが有する被支持部が第２の導電性シェルに設けられた支持部に回転可能に係合することにより、第２の導電性シェルによって支持されたものとされて設けられる。従って、第２の導電性シェルに設けられた支持部及び係止部材が有する被支持部が、係止部材を支持する係止部材支持部を構成していることになる。そして、ケーブル側コネクタが基板側コネクタに連結されたもとで、係止部材が被支持部を支持部に対して回転させて第２の状態をとるとき、当該係止部材が、それが有する係合部を基板側コネクタの第１の導電性シェルに設けられた被係合部に押圧当接させて当該被係合部に対する係止を行い、それにより、ケーブル側コネクタに基板側コネクタとの連結状態を維持させる。
【００１６】
係止部材支持部を構成する第２の導電性シェルおける支持部及び係止部材における被支持部は、例えば、本願発明に係るコネクタ装置のうちの請求項２に記載されたものの場合のように、第２の導電性シェルにおける支持部が突起部を成すものとされるとともに、係止部材における被支持部が、支持部が成す突起部に嵌合する透孔部を成すものとされる。
【発明の効果】
【００１７】
上述の本願発明に係るコネクタ装置にあっては、ケーブル側コネクタが基板側コネクタに連結されたときケーブル側コネクタに基板側コネクタとの連結状態を維持させる係止部材が、第２の導電性シェルに設けられた支持部に回転可能に係合する被支持部と第１の導電性シェルに設けられた被係合部に押圧当接する係合部とを有していて、それが有する、例えば、透孔部を成すものとされる被支持部が、第２の導電性シェルに設けられた、例えば、突起部を成すものとされる支持部に回転可能に係合することにより、第２の導電性シェルによって支持されたものとされる。斯かるもとで、第２の導電性シェルに設けられた支持部と係止部材が有する被支持部とが、係止部材を第２の導電性シェルにより部分的に覆われた第２の絶縁ハウジングに対して回動可能に支持する係止部材支持部を構成している。そして、係止部材は、ケーブル側コネクタが基板側コネクタに連結されたもとで、被支持部を支持部に対して回転させて第２の状態をとるものとされるとき、それが有する係合部を基板側コネクタの第１の導電性シェルに設けられた被係合部に押圧当接させて当該被係合部に対する係止を適正かつ堅固に行う。
【００１８】
従って、本願発明に係るコネクタ装置によれば、係止部材をケーブル側コネクタの第２の導電性シェルにより部分的に覆われた第２の絶縁ハウジングに対して回動可能に支持する係止部材支持部を、第２の導電性シェルに設けられた支持部と係止部材が有する被支持部とによる極めて簡単な構成をもったものとすることができ、しかも、ケーブル側コネクタが基板側コネクタに連結されたもとで被支持部を支持部に対して回転させて第２の状態をとる係止部材を、それが有する係合部を基板側コネクタの第１の導電性シェルに設けられた被係合部に押圧当接させて当該被係合部に対する係止を適正かつ堅固に行って、ケーブル側コネクタに基板側コネクタとの連結状態を安定に維持させるものとすることができる。その結果、ケーブル側コネクタが基板側コネクタに連結された状態を機械的に維持するための係止部材を、極めて簡単な構成を有した係止部材支持部により支持されたものとすることができ、しかも、当該係止部材によるケーブル側コネクタが基板側コネクタに連結された状態の維持を安定に行うことができることになる。
【図面の簡単な説明】
【００１９】
【図１】本願発明に係るコネクタ装置の一例を構成する基板側コネクタとケーブル側コネクタとを、ケーブル側コネクタにおける係止部材が第１の状態をとる状態をもって、ケーブル側コネクタに接続された複数のケーブルと共に示す斜視図である。
【図２】本願発明に係るコネクタ装置の一例を構成する基板側コネクタとケーブル側コネクタとを、ケーブル側コネクタにおける係止部材が第１の状態をとる状態をもって、ケーブル側コネクタに接続された複数のケーブルと共に示す平面図である。
【図３】本願発明に係るコネクタ装置の一例を構成するケーブル側コネクタを、それから係止部材が取り外された状態をもって、ケーブル側コネクタに接続された複数のケーブルと共に示す斜視図である。
【図４】本願発明に係るコネクタ装置の一例を構成する基板側コネクタとケーブル側コネクタとを、ケーブル側コネクタにおける係止部材が第１の状態をとる状態をもって、ケーブル側コネクタに接続された複数のケーブルと共に示す部分断面を含む側面図である。
【図５】本願発明に係るコネクタ装置の一例を構成する基板側コネクタとケーブル側コネクタとを、ケーブル側コネクタにおける係止部材が第１の状態をとるもとでケーブル側コネクタが基板側コネクタに連結された状態をもって、ケーブル側コネクタに接続された複数のケーブルと共に示す平面図である。
【図６】本願発明に係るコネクタ装置の一例を構成する基板側コネクタとケーブル側コネクタとを、ケーブル側コネクタにおける係止部材が第１の状態をとるもとでケーブル側コネクタが基板側コネクタに連結された状態をもって、ケーブル側コネクタに接続された複数のケーブルと共に示す部分断面を含む側面図である。
【図７】本願発明に係るコネクタ装置の一例を構成する基板側コネクタとケーブル側コネクタとを、ケーブル側コネクタが基板側コネクタに連結されたもとでケーブル側コネクタにおける係止部材が第２の状態をとる状態をもって、ケーブル側コネクタに接続された複数のケーブルと共に示す平面図である。
【図８】図７におけるVIII−VIII線断面をあらわす断面図である。
【図９】図７におけるIX−IX線断面をあらわす断面図である。
【図１０】図７における X−X 線断面をあらわす断面図である。
【発明を実施するための形態】
【００２０】
本願発明を実施するための形態は、以下に述べられる本願発明についての実施例をもって説明される。
【実施例】
【００２１】
図１及び図２は、本願発明に係るコネクタ装置の一例を構成する基板側コネクタ１１とケーブル側コネクタ１２とを、ケーブル側コネクタ１２に接続された複数のケーブル１３と共に示す。
【００２２】
基板側コネクタ１１は、各種の電気回路部品が取り付けられる回路基板（図示が省略されている）に、それとの電気的接続がなされて取り付けられる。また、ケーブル側コネクタ１２は、複数のケーブル１３が電気的に接続されたもとで、基板側コネクタ１１に着脱可能に連結される状態をとる。
【００２３】
そして、基板側コネクタ１１は、合成樹脂等の絶縁材料によって形成された絶縁ハウジング１４（第１の絶縁ハウジング）、及び、外部からの電磁波ノイズ対策のため、即ち、外部からの電磁波ノイズに対するシールド効果を得るため、絶縁ハウジング１４を部分的に覆うものとされた、金属製の導電性シェル１５（第１の導電性シェル）を備えている。なお、導電性シェル１５は、絶縁ハウジング１４を全体的に覆うものとされ得るものである。
【００２４】
絶縁ハウジング１４は、後述されるケーブル側コネクタ１２における差込部２３が挿入される嵌合部１６を形成している。そして、絶縁ハウジング１４には、複数の基板側導電コンタクト１７（第１の導電コンタクト）が配列配置されており、複数の基板側導電コンタクト１７の配列は、複数の第１の基板側導電コンタクト１７ａと複数の第２の基板側導電コンタクト１７ｂとが交互に配されて成るものとされている。これらの複数の第１及び第２の基板側導電コンタクト１７ａ及び１７ｂにあっては、各々の一端部が、基板側コネクタ１１が取り付けられる回路基板における回路接続部に、例えば、半田付けによって電気的に接続される。
【００２５】
また、導電性シェル１５には、絶縁ハウジング１４における嵌合部１６の開口端とは反対側の端縁部側に、絶縁ハウジング１４における複数の基板側導電コンタクト１７の配列方向（以下、基板側コンタクト配列方向という。）に沿って伸びて、後述されるケーブル側コネクタ１２に設けられた係止部材２２における係合部３４が押圧当接するものとされた被係合部１８が設けられている。そして、導電性シェル１５における基板側コンタクト配列方向に沿う方向の両端部の夫々及び被係合部１８に、基板側コネクタ１１が取り付けられる回路基板における接地電位部に、例えば、半田付けによって接続される複数の基板接続部１９が設けられている。
【００２６】
ケーブル側コネクタ１２は、合成樹脂等の絶縁材料によって形成された絶縁ハウジング２０（第２の絶縁ハウジング）、及び、外部からの電磁波ノイズ対策のため、即ち、外部からの電磁波ノイズに対するシールド効果を得るため、絶縁ハウジング２０を部分的に覆うものとされた、金属製の導電性シェル２１（第２の導電性シェル）を備えており、さらに、導電性シェル２１により支持されて絶縁ハウジング２０に対して回動可能に配され、絶縁ハウジング２０から離隔した第１の状態と絶縁ハウジング２０に近接して当該絶縁ハウジング２０を導電性シェル２１を介して覆う第２の状態とを選択的にとる係止部材２２が設けられたものとされている。なお、導電性シェル２１は、絶縁ハウジング２０を全体的に覆うものとされ得るものである。
【００２７】
絶縁ハウジング２０は、基板側コネクタ１１における嵌合部１６にその開口端部を通じて挿入される差込部２３を形成しており、差込部２３には、複数のケーブル側導電コンタクト２４（第２の導電コンタクト）が配列配置されており、複数のケーブル側導電コンタクト２４の配列は、複数の第１のケーブル側導電コンタクト２４ａと複数の第２のケーブル側導電コンタクト２４ｂとが交互に配されて成るものとされている。これらの複数の第１及び第２のケーブル側導電コンタクト２４ａ及び２４ｂにあっては、それらの夫々における絶縁ハウジング２０上に配された一端部に複数のケーブル１３のうちの対応するものが電気的に接続されており、それにより、複数のケーブル１３も、複数のケーブル側導電コンタクト２４の配列方向（以下、ケーブル側コンタクト配列方向という。）に沿って配列配置されたものとされている。
【００２８】
また、特に図２に示される様に導電性シェル２１には、それにおけるケーブル側コンタクト配列方向に沿う方向の両端部を成す端部２１Ａ及び端部２１Ｂに、係止部材２２を支持するための支持部２５Ａ及び２５Ｂが夫々設けられている。これらの支持部２５Ａ及び２５Ｂの夫々は、突起部を成すものとされている。さらに、導電性シェル２１の端部２１Ａに、それに設けられた支持部２５Ａに対向する外壁部２６Ａが設けられているとともに、導電性シェル２１の端部２１Ｂに、それに設けられた支持部２５Ｂに対向する外壁部２６Ｂが設けられている。
【００２９】
係止部材２２は、ケーブル側コネクタ１２をそれから係止部材２２が取り外された状態をもって複数のケーブル１３と共に示す図３にも示されるように、絶縁ハウジング２０を導電性シェル２１を介して覆う状態をとる平板状部３１と、平板状部３１の第１の端縁部３１ａ，第２の端縁部３１ｂ及び第３の端縁部３１ｃから夫々屈曲して伸びる第１の側縁部３２，第２の側縁部３３及び第３の側縁部３４とを有している。そして、係止部材２２における第１の側縁部３２及び第２の側縁部３３が相互対向する位置に配されていて、第１の側縁部３２に、導電性シェル２１に設けられた支持部２５Ａに係合する状態をとる被支持部３５が透孔部を成すものとして設けられており、また、第２の側縁部３３に、導電性シェル２１に設けられた支持部２５Ｂに係合する状態をとる被支持部３６が透孔部を成すものとして設けられている。さらに、係止部材２２における第３の側縁部３４が、基板側コネクタ１１の導電性シェル１５に設けられた被係合部１８に押圧当接して係合する状態をとる係合部を成すものとされている（以下、第３の側縁部３４が成す係合部を係合部３４という。）。斯かる係合部３４には、各々が基板側コネクタ１１の導電性シェル１５における被係合部１８に弾性接触する状態をとる複数の弾性係合片３４ａが設けられている。
【００３０】
係止部材２２がケーブル側コネクタ１２に取り付けられたもとにあっては、図４に示されるように、係止部材２２の第２の側縁部３３に設けられた透孔部を成す被支持部３６が、導電性シェル２１の端部２１Ｂに設けられた突起部を成す支持部２５Ｂに回転可能に嵌合したものとされる。同様に、係止部材２２の第１の側縁部３２に設けられた透孔部を成す被支持部３５も、導電性シェル２１の端部２１Ａに設けられた突起部を成す支持部２５Ａに回転可能に嵌合したものとされる。斯かるもとでは、導電性シェル２１の端部２１Ａにおける支持部２５Ａが設けられた部分と支持部２５Ａに対向するものとして導電性シェル２１の端部２１Ａに設けられた外壁部２６Ａとが、係止部材２２の第１の側縁部３２における被支持部３５が設けられた部分を挟むものとされ、また、導電性シェル２１の端部２１Ｂにおける支持部２５Ｂが設けられた部分と支持部２５Ｂに対向するものとして導電性シェル２１の端部２１Ｂに設けられた外壁部２６Ｂとが、係止部材２２の第２の側縁部３３における被支持部３６が設けられた部分を挟むものとされる。それにより、支持部２５Ａに回転可能に嵌合した被支持部３５が、支持部２５Ａから不所望に外れてしまう事態が回避されるとともに、支持部２５Ｂに回転可能に嵌合した被支持部３６が、支持部２５Ｂから不所望に外れてしまう事態が回避される。そして、係止部材２２は、その全体が導電性シェル２１により回動可能に支持されており、導電性シェル２１により部分的に覆われた絶縁ハウジング２０に対して回動可能に配されていることになる。
【００３１】
図５及び図６は、上述のケーブル側コネクタ１２が、複数のケーブル１３が電気的に接続され、係止部材２２が絶縁ハウジング２０から離隔した第１の状態をとるものとされたもとで、回路基板にそれとの電気的接続がなされて取り付けられた基板側コネクタ１１に連結された状態を示す。斯かる際には、ケーブル側コネクタ１２の絶縁ハウジング２０が形成する差込部２３が、基板側コネクタ１１の絶縁ハウジング１４が形成する嵌合部１６にその開口端部を通じて挿入され、後述される図９及び図１０に示されるように、差込部２３に配列配置された複数のケーブル側導電コンタクト２４を成す複数の第１のケーブル側導電コンタクト２４ａ及び複数の第２のケーブル側導電コンタクト２４ｂが、基板側コネクタ１１の絶縁ハウジング１４に配列配置された複数の基板側導電コンタクト１７を成す複数の第１の基板側導電コンタクト１７ａ及び複数の第２の基板側導電コンタクト１７ｂに夫々接触接続される。それにより、複数のケーブル側導電コンタクト２４に夫々接続された複数のケーブル１３が、複数のケーブル側導電コンタクト２４及び複数の基板側導電コンタクト１７を介して、複数の基板側導電コンタクト１７が接続された回路基板における回路接続部に電気的に連結された状態におかれる。また、このとき、基板側コネクタ１１の導電性シェル１５とケーブル側コネクタ１２の導電性シェル２１とが相互接触接続状態におかれ、各々に導電性シェル１５における被係合部１８に設けられた複数の基板接続部１９が接続された回路基板における接地電位部からの接地電位が印加される。
【００３２】
その後、図７に示されるように、複数のケーブル１３が電気的に接続されたケーブル側コネクタ１２が、回路基板にそれとの電気的接続がなされて取り付けられた基板側コネクタ１１に連結されたもとで、ケーブル側コネクタ１２が基板側コネクタ１１に連結された状態の維持を図るべく、ケーブル側コネクタ１２に設けられた係止部材２２を、ケーブル側コネクタ１２の導電性シェル２１により部分的に覆われた絶縁ハウジング２０に対して回動させて、第１の状態から絶縁ハウジング２０に近接して当該絶縁ハウジング２０を導電性シェル２１を介して覆う第２の状態に移行させる操作が行われる。このようにして、係止部材２２が第１の状態から第２の状態に移行せしめられたときには、図７におけるVIII−VIII線断面，IX−IX線断面及び X−X 線断面を夫々示す図８，図９及び図１０に示されるように、係止部材２２における平板状部３１が、絶縁ハウジング２０を導電性シェル２１を介して覆う状態をとるとともに、係止部材２２における係合部３４が、基板側コネクタ１１の導電性シェル１５における被係合部１８に押圧当接して係合し、被係合部１８に対する係止を行うものとされる。このとき、図１０に示されるように、係合部３４に設けられた複数の弾性係合片３４ａの夫々が導電性シェル１５における被係合部１８に弾性接触するものとされ、それにより、係合部３４が被係合部１８に弾性力を作用させて押圧当接する状態が得られて、係合部３４による被係合部１８に対する係止が適正かつ堅固に行われる。その結果、係止部材２２により、ケーブル側コネクタ１２が基板側コネクタ１１に連結された状態が安定に維持されることになる。
【００３３】
斯かるもとで、基板側コネクタ１１及びそれに連結されたケーブル側コネクタ１２の内部においては、図９に示されるように、ケーブル側コネクタ１２における、一端部にケーブル１３の信号導体１３ａが接続された第１のケーブル側導電コンタクト２４ａが、基板側コネクタ１１における第１の基板側導電コンタクト１７ａに接触接続されており、また、図１０に示されるように、一端部にケーブル１３の信号導体１３ａが接続された第２のケーブル側導電コンタクト２４ｂが、基板側コネクタ１１における第２の基板側導電コンタクト１７ｂに接触接続されている。第１の基板側導電コンタクト１７ａは、図９に示されるように、基板側コネクタ１１の絶縁ハウジング１４に圧入された固定部１７ａｓと基板側コネクタ１１が取り付けられた回路基板における回路接続部に接続される基板接続端子部１７ａｃとを有しており、また、第２の基板側導電コンタクト１７ｂは、図１０に示されるように、基板側コネクタ１１の絶縁ハウジング１４に圧入された固定部１７ｂｓと基板側コネクタ１１が取り付けられた回路基板における回路接続部に接続される基板接続端子部１７ｂｃとを有している。
【００３４】
上述の本願発明に係るコネクタ装置の一例を成す、基板側コネクタ１１とケーブル側コネクタ１２とを含んで構成されるコネクタ装置にあっては、ケーブル側コネクタ１２が基板側コネクタ１１に連結されたときケーブル側コネクタ１２に基板側コネクタ１１との連結状態を維持させる係止部材２２が、ケーブル側コネクタ１２の導電性シェル２１における端部２１Ａに設けられた支持部２５Ａ及び端部２１Ｂに設けられた支持部２５Ｂに夫々回転可能に係合する被支持部３５及び３６と基板側コネクタ１１の導電性シェル１５に設けられた被係合部１８に押圧当接する係合部３４とを有していて、それが有する、例えば、透孔部を成すものとされる被支持部３５及び３６が、ケーブル側コネクタ１２の導電性シェル２１に設けられた、例えば、突起部を成すものとされる支持部２５Ａ及び２５Ｂに夫々回転可能に係合することにより、導電性シェル２１によって支持されたものとされる。斯かるもとで、ケーブル側コネクタ１２の導電性シェル２１に設けられた支持部２５Ａ及び２５Ｂと係止部材２２が有する被支持部３５及び３６とが、係止部材２２を導電性シェル２１により部分的に覆われた絶縁ハウジング２０に対して回動可能に支持する係止部材支持部を構成している。そして、係止部材２２は、ケーブル側コネクタ１２が基板側コネクタ１１に連結されたもとで、被支持部３５及び３６を夫々支持部２５Ａ及び２５Ｂに対して回転させて第２の状態をとるものとされるとき、それが有する係合部３４を基板側コネク１１の導電性シェル１５に設けられた被係合部１８に押圧当接させて当該被係合部１８に対する係止を適正かつ堅固に行う。
【００３５】
従って、基板側コネクタ１１とケーブル側コネクタ１２とを含んで構成されるコネクタ装置によれば、係止部材２２をケーブル側コネクタ１２の導電性シェル２１により部分的に覆われた絶縁ハウジング２０に対して回動可能に支持する係止部材支持部を、導電性シェル２１に設けられた支持部２５Ａ及び２５Ｂと係止部材２２が有する被支持部３５及び３６とによる極めて簡単な構成を持ったものとすることができ、しかも、ケーブル側コネクタ１２が基板側コネクタ１１に連結されたもとで被支持部３５及び３６を夫々支持部２５Ａ及び２５Ｂに対して回転させて第２の状態をとる係止部材２２を、それが有する係合部３４を基板側コネク１１の導電性シェル１５に設けられた被係合部１８に押圧当接させて当該被係合部１８に対する係止を適正かつ堅固に行って、ケーブル側コネクタ１２に基板側コネクタ１１との連結状態を安定に維持させるものとすることができる。その結果、ケーブル側コネクタ１２が基板側コネクタ１１に連結された状態を機械的に維持するための係止部材２２を、極めて簡単な構成を有した係止部材支持部により支持されたものとすることができ、しかも、当該係止部材２２によるケーブル側コネクタ１２が基板側コネクタ１１に連結された状態の維持を安定に行うことができることになる。
【産業上の利用可能性】
【００３６】
以上のような本願発明に係るコネクタ装置は、回路基板に電気的に接続されて取り付けられる基板側コネクタと複数のケーブルが電気的に接続されたもとで基板側コネクタに連結されるケーブル側コネクタとを含んで構成され、ケーブル側コネクタが基板側コネクタに連結された状態を機械的に維持するための係止部材を、比較的簡単な構成を有した係止部材支持部により支持されたものとすることができ、かつ、係止部材によるケーブル側コネクタが基板側コネクタに連結された状態の維持を安定に行うことができるものとして、様々な電子機器等に広く適用され得るものである。
【符号の説明】
【００３７】
１１・・・基板側コネクタ，  １２・・・ケーブル側コネクタ，  １3 ・・・ケーブル，  １４，２０・・・絶縁ハウジング，  １５，２１・・・導電性シェル，  １６・・・嵌合部，  １７・・・基板側導電コンタクト１７，  １７ａ・・・第１の基板側導電コンタクト，  １７ｂ・・・第２の基板側導電コンタクト，  １８・・・被係合部，  １９・・・基板接続部，  ２１Ａ，２１Ｂ・・・（導電性シェル２１の）端部，  ２２・・・係止部材，  ２３・・・差込部，  ２４・・・ケーブル側導電コンタクト，  ２４ａ・・・第１のケーブル側導電コンタクト，  ２４ｂ・・・第２のケーブル側導電コンタクト，  ２５Ａ，２５Ｂ・・・支持部，  ２６Ａ，２６Ｂ・・・外壁部，  ３１・・・平板状部，  ３２・・・第１の側縁部，  ３３・・・第２の側縁部，  ３４・・・係合部（第３の側縁部），  ３４ａ・・・弾性係合片，  ３５，３６・・・被支持部
【図１】
2019083141.tif 000003
【図２】
2019083141.tif 000004
【図３】
2019083141.tif 000005
【図４】
2019083141.tif 000006
【図５】
2019083141.tif 000007
【図６】
2019083141.tif 000008
【図７】
2019083141.tif 000009
【図８】
2019083141.tif 000010
【図９】
2019083141.tif 000011
【図１０】
2019083141.tif 000012